(57)【要約】【課題】  視認性を損ねることなく省スペース化を図った放送マスターシステムを提供すること。【解決手段】  放送マスターシステムは、当該放送マスターシステムを制御する制御装置と、コンピュータとを具備する。このコンピュータは、ディスプレイと、エミュレータアプリケーションと、表示制御部とを備える。エミュレータアプリケーションは、放送マスターシステムを操作するための操作卓をエミュレートする。表示制御部は、エミュレートされた操作卓を制御するためのアイコンをディスプレイに表示する。【選択図】  図８
2020043411.tif 000002
【特許請求の範囲】
【請求項１】
放送マスターシステムにおいて、
前記放送マスターシステムを制御する制御装置と、
コンピュータとを具備し、
前記コンピュータは、
ディスプレイと、
前記放送マスターシステムを操作するための操作卓をエミュレートするエミュレータアプリケーションと、
前記エミュレートされた操作卓を制御するためのアイコンを前記ディスプレイに表示する表示制御部とを備える、放送マスターシステム。
【請求項２】
前記コンピュータは、前記エミュレートされた操作卓に前記アイコンを介して与えられた操作に基づく制御電文を前記制御装置に送信し、
前記制御装置は、前記制御電文に基づいて前記放送マスターシステムを制御する、請求項１に記載の放送マスターシステム。
【請求項３】
前記表示制御部は、前記エミュレートされた操作卓の全容を前記ディスプレイに表示する、請求項１に記載の放送マスターシステム。
【請求項４】
前記表示制御部は、前記エミュレートされた操作卓の一部を前記ディスプレイにスクロール可能に表示する、請求項１に記載の放送マスターシステム。
【請求項５】
前記表示制御部は、前記エミュレートされた操作卓の状態の変化に関連するアイコンを強調表示する、請求項１に記載の放送マスターシステム。
【請求項６】
前記表示制御部は、前記アイコンに付随する文字を前記ディスプレイにおいて拡大表示する、請求項１に記載の放送マスターシステム。
【請求項７】
前記エミュレータアプリケーションは、前記エミュレートされた操作卓の表示状態の変化を音声でオペレータに報知する、請求項１に記載の放送マスターシステム。
【請求項８】
前記表示制御部は、前記エミュレートされた操作卓の状態の変化に関連するアイコンを拡大表示する、請求項１に記載の放送マスターシステム。
【請求項９】
前記表示制御部は、前記ディスプレイにおいて、前記エミュレートされた操作卓の指定領域を拡大表示する、請求項１に記載の放送マスターシステム。
【発明の詳細な説明】
【技術分野】
【０００１】
本発明の実施形態は、放送マスターシステムに関する。
【背景技術】
【０００２】
放送局のマスタールームには、卓という放送マスターシステム専用の大型筐体が設置されている。卓には、放送マスターシステムのマスターシステム制御部に割り込み制御をかけるための各種ボタンや、状態表示器が埋め込まれている。オペレータは、卓の表示器を目視したり、ボタンを操作したりすることにより、マスターシステムの制御状態を確認しつつ、状況に応じた放送のオペレーションを行うことができる。
【０００３】
ところで、近年、放送マスターシステムのハードウェアをソフトウェア化（実機レス化）し、マスタールームの省スペース化を図ること等が検討されている。
【先行技術文献】
【特許文献】
【０００４】
【特許文献１】特開２００８−４８３４４号公報
【特許文献２】特開平１０−６５９６５号公報
【特許文献３】特開２００２−３１４８７９号公報
【特許文献４】特開２０１７−９２９１０号公報
【発明の概要】
【発明が解決しようとする課題】
【０００５】
マスターシステムをソフトウェア化するに当たり、ディスプレイが必要となるが、如何にしてディスプレイ上に大型の卓を表現するかが課題となる。ソフトウェア化された卓全体を１台のディスプレイに表示するには大型のディスプレイが必要となるが、省スペース化を実現するという観点からは意味が薄れてしまう。ディスプレイを小型化すると、文字が小さくなりすぎたり、潰れたりといったことよる誤認識や、ボタンの間隔が狭くなることによる誤操作が起きてしまう。
【０００６】
そこで、目的は、視認性を損ねることなく省スペース化を図った放送マスターシステムを提供することにある。
【課題を解決するための手段】
【０００７】
実施形態によれば、放送マスターシステムは、当該放送マスターシステムを制御する制御装置と、コンピュータとを具備する。このコンピュータは、ディスプレイと、エミュレータアプリケーションと、表示制御部とを備える。エミュレータアプリケーションは、放送マスターシステムを操作するための操作卓をエミュレートする。表示制御部は、エミュレートされた操作卓を制御するためのアイコンをディスプレイに表示する。
【図面の簡単な説明】
【０００８】
【図１】図１は、地上波デジタル放送システムの一例を示す概念図である。
【図２】図２は、放送マスターシステムの一例を示す機能ブロック図である。
【図３】図３は、操作卓４４の一例を示す概観図である。
【図４】図４は、図２に示される放送マスターシステムを抽象化して示す図である。
【図５】図５は、実施形態における放送マスターシステムの一例を示す機能ブロック図である。
【図６】図６は、図５に示されるコンピュータ端末５０の一例を示す機能ブロック図である。
【図７】図７は、操作卓４４に備わる各種ボタンの配列の一例を示す図である。
【図８】図８は、タブレットＰＣのディスプレイに表示されたソフトウェア卓の一例を示す図である。
【図９】図９は、表示制御部５９ａによる表示制御機能の一例を示す図である。
【図１０】図１０は、表示制御部５９ａによる表示制御機能の他の例を示す図である。
【図１１】図１１は、表示制御部５９ａによる表示制御機能の他の例を示す図である。
【図１２】図１２は、表示制御部５９ａによる表示制御機能の他の例を示す図である。
【発明を実施するための形態】
【０００９】
図１は、地上波デジタル放送システムの一例を示す概念図である。放送マスターシステム１０は、放送局１００に備えられ、トランスポートストリーム（ＴＳ）を生成する。ＴＳは、専用線網等の通信ネットワーク２００を経由して例えば電波塔３００まで伝送される。電波塔３００はＴＳ信号をデジタル変調してマイクロ波帯で放射する。放射された電波は各家庭４００の受像機で受信され、映像と音声が再生される。模式的に示すように、放送局１００の例えば監視室に備えられる機器は大規模かつ多種多様であり、多数のモニタ画面や林立するラック（棚）を備える。
【００１０】
図２は、放送マスターシステム１０の一例を示す機能ブロック図である。放送マスターシステム１０は、情報系１５、システム処理系２０、伝送系３０、監視系システム４０および時計装置８０を備える。これらはＬＡＮ（Local Area Network）等の局内ネットワーク５を介して相互接続される。
【００１１】
局内ネットワーク５には、ＴＣＰ／ＩＰ等の汎用プロトコルを用いる汎用ネットワークと、ＳＥＣＮＥＴ３等のリアルタイム型ネットワークとが含まれる。汎用ネットワークは主に画像／音声データの伝送に用いられ、リアルタイム型ネットワークは放送関連機器間で制御情報や各種電文を授受するために用いられる。
【００１２】
情報系１５は、放送情報スケジューラ１６、およびデータベース１７を備える。
【００１３】
システム処理系２０は、１系のシステム処理系２０（＃１）と、２系のシステム処理系２０（＃２）とからなる冗長構成をとり、各系が、スイッチャ（ＳＷ）２１、エンコーダ（ＥＮＣ）２３、ＳＩ送出部２４、ＶＢＲ２５、多重化部（ＭＵＸ）２６、およびＳＣＲ２７を備え、さらに制御系６０をも備える。
【００１４】
スイッチャ２１は、ＣＭサーバ７０からのＣＭコンテンツ、回線素材７１やスタジオ７２からの映像／音声信号、あるいは各種機材から発生された発生信号７３を、伝送系３０から取り込み、番組表に従って経路切換して次段のエンコーダ２３に接続する。エンコーダ２３はいわゆる符号化多重化部制御装置（ＥＭＣ：Encoder & Multiplexer Controller）であり、入力された信号の符号化および多重化に関する制御を行う。
【００１５】
エンコーダ２３は所定の手順に従って映像信号／音声信号／データ信号を符号化し、次段の多重化部２６に入力する。多重化部２６は、エンコーダ２３からの符号化信号、ＳＩ送出部２４からのＳＩ（Service Information）信号２４ａ、ＥＣＭ信号２４ｂ、およびＶＢＲ２５からのＤＡＴＡ信号２４ｃを多重化し、多重化されたデータを、ＳＣＲ２７を経由して、伝送系３０のストリーム切り替え部３１，３２に送出する。
【００１６】
ストリーム切り替え部３１，３２は互いに冗長化され、ＭＰＥＧ（Moving Picture Experts Group）符号化方式で圧縮された放送ＴＳ（Transport Stream）信号をシームレスに切り替え、現用系、予備系および検証系の各ＴＳ信号を生成する。これらのＴＳ信号は交換部３３を経由して通信ネットワーク２００に送出される。
【００１７】
制御系６０は、機器制御スケジューラ６１、マスターシステム制御装置６２、ノード（ＮＯＤＥ）６３、およびＭＳＭ６４を備える。機器制御スケジューラ６１は、放送スケジュールの制御に係わる処理を実行する。
【００１８】
マスターシステム制御装置６２は、実時間制御に係わる処理を実行する。すなわちマスターシステム制御装置６２は、放送プログラムに基づいて作成された制御シナリオに基づいて、各放送関連機器を制御する。
【００１９】
ノード６３は、例えば、局内ネットワーク５への接続インタフェースを持たない機材（アナログＶＴＲ等）に接続され、局内ネットワーク５へのインタフェース機能を提供する。これにより旧式の機材等も放送マスターシステム１０の制御下に置くことができる。ノード６３は、必要に応じて複数設けられても良い。ＭＳＭ６４は、その他の各種制御に係わる処理を担う。
【００２０】
監視系システム４０は、ＳＥＣＬＯＧＧＥＲ４１、ＯＡ表示端末４２、マルチモニタ４３、操作卓４４、監視指示端末４５、アラーム端末４６、およびスピーカ４７等の、複数の監視制御用機器を備える。  
時計装置８０は、上記の各放送関連機器に対してマスタ時刻を供給する。
【００２１】
図３は、操作卓４４の一例を示す概観図である。操作卓４４は、マルチモニタ４３、監視指示端末４５、アラーム端末４６、スピーカ４７等とともに、制御盤を構成する。
【００２２】
放送マスターシステム１０では、システム処理系２０（＃１）とシステム処理系２０（＃２）との各々において、多数の番組サービスを取り扱う。番組サービスには、地上波デジタル放送における３つのチャンネルのための番組サービス、ＢＳ放送における２つのチャンネルのための番組サービス、ワンセグ放送における１つのチャンネルのための番組サービス、ネット送り用のチャンネルのための番組サービス等が有る。このような複数の番組サービスによって提供される各画像を表示できるように、多数のマルチモニタが配設される。１０基のマルチモニタ４３が図３に示されるが、もちろん、マルチモニタ４３の数は１０基に限定されるものではない。
【００２３】
アラーム端末４６には、放送マスターシステム１０内で自動検出された異常事象がすべて収集され、表示される。したがって、オペレータは、アラーム端末４６の表示を確認することによって、システム処理系２０（＃１）に異常がないか否かを確認することができる。また、アラーム端末４６は、システム処理系２０（＃１）とシステム処理系２０（＃２）との間の映像の相違を検出し、表示することもできる。したがって、オペレータは、システム処理系２０（＃２）が正常であるか否かをも把握することもできる。アラーム端末４６は、システム処理系２０（＃１）において異常が検出された場合や、システム処理系２０（＃２）において異常が検出された場合には、アラーム端末４６上において点滅表示することによって、あるいは、スピーカ４７から警報音や音声メッセージを発生させることによって、オペレータに異常を報知するようにしても良い。
【００２４】
図４は、図２に示される放送マスターシステムを抽象化して示す図である。図４において、マスターシステム制御装置６２および制御系６０（ノード６３）は、例えばイーサネット（登録商標）上で任意のネットワークプロトコルにより通信可能である。制御系６０（ノード６３）および操作卓４４は、例えばパラレルインタフェースを介して接続される。
【００２５】
操作卓４４は、専用の筐体にハードウェアとして組み込まれ、通信Ｉ／Ｆ部、制御部、ボタン、表示器等を備える。制御系６０（ノード６３）でのインタフェース変換により、マスターシステム制御装置６２および操作卓４４は、制御電文を任意のプロトコルで相互に送受信可能である。
【００２６】
図５は、実施形態における放送マスターシステムの一例を示す機能ブロック図である。すなわち、実施形態では、操作卓４４をエミュレートする卓アプリケーション５２をコンピュータ端末５０にインストールし、操作卓４４の機能をコンピュータ端末５０に代替させる。以下では、エミュレートされた操作卓をソフトウェア卓と称する。卓アプリケーション５２としては、デスクトップアプリケーションに限られることなく、Ｗｅｂアプリケーション、あるいはクラウドアプリケーションなど、種々の形態をとり得る。  
コンピュータ端末５０としては、例えばデスクトップＰＣ（パーソナルコンピュータ）、ノートＰＣ、タブレットＰＣ等が挙げられる。
【００２７】
ソフトウェア卓は、操作卓４４の機能を網羅する。図５に示されるように、コンピュータ端末５０はディスプレイ５１を備え、ソフトウェア卓をディスプレイ５１に視覚的に表示する。ディスプレイ５１はコンピュータ端末５０に一体的に組み込まれていても良く、この場合は一体型ＰＣ、あるいはタブレット端末としての形態になる。
【００２８】
コンピュータ端末５０は、ＮＩＣ（Network Interface Card）５３および卓アプリケーション５２を搭載する。卓アプリケーション５２は、通信部５４、制御部５５、ＧＵＩボタン５６、およびＧＵＩ表示器５７を備える。
【００２９】
ＧＵＩボタン５６は、ディスプレイ５１上にクリッカブルなアイコンとして表示される。このアイコンをクリック、またはタップしてソフトウェア卓が操作されると、コンピュータ端末５０はこの操作内容を反映する制御電文をＮＩＣ５３から出力する。この制御電文は、制御系６０（ノード６３）を経由してマスターシステム制御装置６２に送信され、これを受けてマスターシステム制御装置６２は、制御電文に基づいて放送マスターシステムを制御する。これにより、ソフトウェア卓の外部から見れば、ソフトウェア卓は、ハードウェアとしての操作卓４４と何ら変わるところが無い。
【００３０】
図６は、図５に示されるコンピュータ端末５０の一例を示す機能ブロック図である。コンピュータ端末５０は、ＣＰＵ（Central Processing Unit）５９、メモリ５８、スピーカ等を含むヒューマンマシンインタフェースとしての入出力部５０ａ、ＮＩＣ５３、および、ディスプレイ５１に接続されるインタフェース部５０ｂを備える。
【００３１】
ＣＰＵ５９は、実施形態に係わる機能として卓アプリケーション５２、および表示制御部５９ａを備える。これらの機能は、メモリ５８に記憶された卓アプリケーションプログラム５８ａ、表示制御プログラム５８ｂがＣＰＵ５９のレジスタにロードされ、ＣＰＵ５９が演算処理を実行することで生成されるプロセス、あるいはプロセスの集合である。
【００３２】
図７は、ハードウェアとしての操作卓４４に備わる各種ボタンの配列の一例を示す図である。現実の操作卓４４は、通例、さらに多数のボタンや表示器を備える。  
図８は、タブレットＰＣのディスプレイに表示されたソフトウェア卓の一例を示す図である。表示制御部５９ａは、ソフトウェア卓の全容をディスプレイに表示するが、タブレットＰＣのディスプレイのサイズが小さいことから、アイコン等が全体的に縮小されてしまう。このため表示文字が小さくなったり、潰れたりしてしまい、オペレータによる誤認識を招いたり、ボタンの間隔が狭くなることによる誤操作等が生じる。
【００３３】
図９は、表示制御部５９ａによる表示制御機能の一例を示す図である。表示制御部５９ａは、ソフトウェア卓の一部を、ディスプレイ５１にスクロール可能に表示する。つまりソフトウェア卓の全容を表示可能であるのに加えて、ソフトウェア卓の一部分を拡大表示することもできる。
【００３４】
ディスプレイ５１での表示範囲を変更するには、水平／垂直スクロール、表示範囲をページ化することによるページ遷移等が想定されるが、これに限定されるものではない。この拡大機能を呼び出す操作としては、マウス、キーボード、タッチパネルディスプレイ等の操作を想定することができるが、これにも限定されるものではない。
【００３５】
図１０は、表示制御部５９ａによる表示制御機能の他の例を示す図である。表示制御部５９ａは、ソフトウェア卓の状態の変化に関連するアイコンを強調表示（エフェクト）する。例えば、カットイン操作の際には、カットインボタンを他と区別可能なように光らせたり、「自動」ボタンを拡大表示したりというように、表示にエフェクトをかけることができる。
【００３６】
ハードウェアとしての操作卓４４では、ボタンや表示器の色や文字が変化すること等でしか変化をオペレータに伝えられないので、オペレータによる見逃しが発生する場合があった。これに対し実施形態のソフトウェア卓では、表示状態の変化時に、ボタンを光らせたり、変化があった部分を一時的に拡大したり、といったエフェクトをかけることにより、オペレータによる見逃しを防止する。このほか、ソフトウェア卓の表示状態の変化を音声でオペレータに報知するようにしても良い。これもエフェクトの一例であり、あらゆる種類のエフェクトを活用することができる。
【００３７】
図１１は、表示制御部５９ａによる表示制御機能の他の例を示す図である。表示制御部５９ａは、ディスプレイ５１上のアイコンに付随する文字を拡大表示する。すなわち、ソフトウェア卓は、ディスプレイ５１に表示する過程で視認性の劣化する文字を自動的に拡大することにより、オペレータによる誤認識を防止する。ここでは、文字のサイズが小さくなりすぎたり、潰れたりする場合が想定される。
【００３８】
拡大対象の文字列および拡大倍率は、ソフトウェア卓の表示解像度、ディスプレイ５１のＤＰＩ値、フォントサイズ等を元に算出することができる。もちろん、これらのアルゴリズムに限定されるものではない。また、文字列の全体を拡大するか、頭文字等の一部分を拡大するかについても、制限されるものではない。
【００３９】
図１２は、表示制御部５９ａによる表示制御機能の他の例を示す図である。表示制御部５９ａは、ディスプレイ５１において、ソフトウェア卓の指定領域を拡大表示する。この種の機能は、いわゆる拡大鏡機能として知られている。
【００４０】
ソフトウェア卓は、カーソル周辺に対して拡大鏡の機能を持つ。カーソルとは、マウスカーソルの位置、もしくはタッチパネルディスプレイでは指が置かれている箇所のことを表している。カーソルを動かすことにより、拡大鏡の有効範囲（指定領域）を変更することができる。拡大したコンテンツを表示するエリアについては、ソフトウェア卓の画面外、もしくはカーソル周辺にオーバーレイで表示すること等が考えられる。なお、拡大倍率については任意に設定することが可能である。
【００４１】
以上説明したようにこの実施形態では、汎用のコンピュータ上で機能するエミュレータにより、放送マスターシステムの操作卓をエミュレートし、操作卓の機能を網羅するソフトウェア卓として機能させる。また、制御電文を送信する機能をソフトウェア卓に設け、放送マスターシステムに組み込んで、ハードウェアとしての操作卓４４と同等の機能を実現することができる。
【００４２】
操作卓４４をインストールするのと比較して、ソフトウェア卓によれば占有スペースを大幅に削減することができる。一方で、ディスプレイ５１のサイズの制限から視認性が犠牲になる惧れがある。そこで実施形態では、表示制御部５９ａにより、操作卓４４では実現しづらいソフトウェア卓ならではの画面表現を実現可能とした。つまり、スクロール表示、拡大表示等を組み合わせることで、大型のディスプレイの必要なく、ソフトウェア卓の全容を画面上に表現することができる。ひいては、タブレットＰＣ等の小型ディスプレイ上でも、大規模な卓を効率良く表現することができる。  
これらのことから、実施形態によれば、視認性を損ねることなく省スペース化を図った放送マスターシステムを提供することが可能となる。
【００４３】
本発明の実施形態を説明したが、この実施形態は例として提示するものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４４】
５…局内ネットワーク、１０…放送マスターシステム、１５…情報系、１６…放送情報スケジューラ、１７…データベース、２０…システム処理系、２１…スイッチャ、２３…エンコーダ、２４…ＳＩ送出部、２４ａ…信号、２４ｂ…ＥＣＭ信号、２４ｃ…ＤＡＴＡ信号、２６…多重化部、３０…伝送系、３１，３２…ストリーム切り替え部、３３…交換部、４０…監視系システム、４２…ＯＡ表示端末、４３…マルチモニタ、４４…操作卓、４５…監視指示端末、４６…アラーム端末、４７…スピーカ、５０…コンピュータ端末、５０ａ…入出力部、５０ｂ…インタフェース部、５１…ディスプレイ、５２…卓アプリケーション、５４…通信部、５５…制御部、５６…ＧＵＩボタン、５７…ＧＵＩ表示器、５８…メモリ、５８ａ…卓アプリケーションプログラム、５８ｂ…表示制御プログラム、５９…ＣＰＵ、５９ａ…表示制御部、６０…制御系、６１…機器制御スケジューラ、６２…マスターシステム制御装置、６３…ノード、７０…ＣＭサーバ、７１…回線素材、７２…スタジオ、７３…発生信号、８０…時計装置、１００…放送局、２００…通信ネットワーク、３００…電波塔、４００…家庭。
【図１】
2020043411.tif 000003
【図２】
2020043411.tif 000004
【図３】
2020043411.tif 000005
【図４】
2020043411.tif 000006
【図５】
2020043411.tif 000007
【図６】
2020043411.tif 000008
【図７】
2020043411.tif 000009
【図８】
2020043411.tif 000010
【図９】
2020043411.tif 000011
【図１０】
2020043411.tif 000012
【図１１】
2020043411.tif 000013
【図１２】
2020043411.tif 000014